(57)【特許請求の範囲】
【請求項１】
シャッタ開口を有するシャッタ基板と、前記シャッタ開口を開閉可能な複数の羽根と、前記羽根を駆動するための揺動可能に軸支された複数のアームとを有するフォーカルプレーンシャッタにおいて、
前記アームの少なくとも１つには、他のアームに平面的に重なる突起部が形成され、該突起部が形成してあるアームは、プラスチック材で形成され、
前記突起部が形成してあるアームを除く前記他のアームは金属製であり、
前記突起部が形成してあるアームは、前記他のアームと金属製の仕切板とで挟まれていることを特徴とするフォーカルプレーンシャッタ。
【請求項２】
請求項１において、前記複数のアームは少なくとも３本あり、前記突起部は中央に位置するアームの両側辺から両側に位置するアームに平面的に重なるように延伸していることを特徴とするフォーカルプレーンシャッタ。
【発明の詳細な説明】
【０００１】
【発明の属する技術分野】
本発明はフォーカルプレーンシャッタに関する。
【０００２】
【従来の技術】
従来におけるフォーカルプレーンシャッタには、回転羽根式のものと平行リンク式のものとがあり、図５に示すように平行リンク式のものでは、シャッタ基板１に開設してあるシャッタ開口１ａを複数の羽根で構成される羽根群２で開閉可能である。羽根群２の各々の羽根はプラスチックで薄い板状に形成されたもので、スリット形成羽根２ａを含む全ての羽根２ａ〜２ｄはアーム３０，４０，５０に支えられ、シャッタ開口１ａに対して平行に駆動されて、シャッタ開口１ａの下方に退避する。アーム３０，４０，５０は強度を保つために金属の薄板で形成されたもので、シャッタ基板１の一側に設けられている複数の軸で揺動可能に軸支されている。即ち、アーム３０は軸６に、アーム４０は軸７に、アーム５０は軸８にそれぞれ軸支されている。さらに、シャッタ駆動機構中の駆動レバーに立設した駆動ピン９は、シャッタ基板１に設けてある扇型の溝穴１ｂを貫通し、アーム４０に設けた嵌合穴に回転不能に嵌合し、駆動レバーの揺動をアーム４０に伝達する構成になっている。アーム３０，４０，５０は、羽根２がシャッタ開口１ａを覆っている状態では相互に重なり合うことのない形状に形成されている。
【０００３】
【発明が解決しようとする課題】
このような従来技術では、羽根２をプラスチックで形成することで軽量化でき、その分シャッタスピードを高めるのに寄与することができる。しかし、アームは駆動力を確実に伝達し、羽根２の平行性を保つために駆動中に弾性変形することがない強度を要求され、この強度を得るために金属の薄板を用いるので、軽量化には限りがあり、シャッタスピードの更なる向上が難しかった。
そこで本発明は、アームの弾性変形を防ぎながらシャッタ機構の更なる軽量化を図り、シャッタスピードを高めることを目的とする。
【０００４】
【課題を解決するための手段】
シャッタ開口を有するシャッタ基板と、シャッタ開口を開閉可能な複数の羽根と、羽根を駆動するための揺動可能に軸支された複数のアームとを有するフォーカルプレーンシャッタにおいて、アームの少なくとも１つには、他のアームに平面的に重なる突起部が形成され、突起部が形成してあるアームは、プラスチック材で形成され、突起部が形成してあるアームを除く前記他のアームは金属製であり、突起部が形成してあるアームは、他のアームと金属製の仕切板とで挟まれている。また、複数のアームは少なくとも３本ある場合、突起部は中央に位置するアームの両側辺から両側に位置するアームに平面的に重なるように延伸するように構成するのが好ましい。
【０００５】
【発明の実施の形態】
本発明の実施の一形態について図面に基づいて説明する。
図１に平行リンク式のフォーカルプレーンシャッタの開放羽根ユニットを示している。閉鎖羽根ユニットについては開放羽根ユニットと実質的に同一であるので、図示を省略している。また、図５の構成と実質的に同一の個所には同一の符号を付している。前記と同様に、シャッタ基板１にシャッタ開口１ａが開設してあり、このシャッタ開口を開閉可能な開放羽根である複数の羽根２が設けてある。複数の羽根２はプラスチックで薄い板状に形成された４枚の羽根からなるもので、アーム３〜５に支えられ、シャッタ開口１ａに対して平行に駆動されて、シャッタ開口１ａの下方に退避する。即ち、スリット形成羽根２ａはアーム３と４に連結部３ａと４ａで連結され、羽根２ｂはアーム４と５に連結部４ｂと５ｂで連結され、羽根２ｃはアーム４と５に連結部４ｃと５ｃで連結され、羽根２ｄはアーム３と５に連結部３ｄと５ｄで連結されている。
【０００６】
アーム３及び４は強度を保つために金属の薄板で形成されたもので、軸６及び７にそれぞれ揺動可能に軸支されている。両アーム３と４に挟まれているアーム５は、プラスチック材で薄い板状に形成されている。アーム５の両側辺から、隣に位置する両アーム３及び４に向かって突起部５ｅ，５ｆを延伸させてある。突起部５ｅの先端はアーム３が駆動する複数の羽根２の位置とは逆側に位置し、アーム３に平面的に重なっている。突起部５ｆの先端はアーム４が駆動する複数の羽根２の位置とは逆側に位置し、アーム４に平面的に重なっている。そして、図示されていない金属製の仕切板がアーム３〜５の図面手前側に、さらに仕切板の図面手前側には閉鎖羽根が設けられている。したがって、プラスチック材で形成され、強度的に若干劣るアーム５は、突起部５ｅ，５ｆが金属製のアーム３，４の図面手前側に位置し、金属製の仕切板とアーム３，４とで挟まれることで強度が保たれ、シャッタ作動中に弾性変形することが防げる。このため、各羽根２の平行性が崩れる恐れがなく光漏れを生じないものとなる。
【０００７】
シャッタ駆動機構中の駆動レバーに立設した駆動ピン９は、シャッタ基板１に設けてある扇型の溝穴１ｂを貫通し、アーム４に設けた嵌合穴に回転不能に嵌合し、駆動レバーの揺動をアーム４を介して全ての羽根及び他のアームに伝達する構成になっている。
【０００８】
図２に示すように、アーム５の突起部５ｆは、羽根２がシャッタ開口１ａから退避した状態で駆動ピン９に接触しないようにその形状が作られているので、突起部５ｅ，５ｆが羽根２の開閉動作を邪魔することがない。このようにアーム５はプラスチック材で形成されて軽量化されているが、仕切板とアーム３，４とに挟まれて支えられていることで強度が補われ、プラスチックにしたことによる強度の低下によって問題が生じることはなく、常に正常に羽根２を開閉駆動することができる。
【０００９】
図３は実施の他の形態を示している。これは４枚の羽根１２が２本のアーム１３，１４で支えられ、シャッタ開口１ａに対して平行に駆動されて、シャッタ開口１ａの下方に退避するものである。即ち、スリット形成羽根１２ａはアーム１３と１４に連結部１３ａと１４ａで、羽根１２ｂは連結部１３ｂと１４ｂで、羽根１２ｃは連結部１３ｃと１４ｃで、羽根１２ｄは連結部１３ｄと１４ｄでそれぞれ連結されている。
【００１０】
アーム１４は、強度を保つために金属の薄板で形成されたもので、軸１７に揺動可能に軸支され、駆動レバーにより揺動される駆動ピン９が嵌合している。アーム１３は、プラスチック材で薄い板状に形成されたもので、軸１６に揺動可能に軸支されている。アーム１３の下側の辺から、アーム１４に向かって突起部１３ｅを延伸させてある。突起部１３ｅの先端はアーム１４が駆動する羽根１２の位置とは逆側に位置してアーム１４に平面的に重なっている。そして、図示されていない金属製の仕切板がアーム１３，１４の図面手前側に、さらに仕切板の図面手前側には閉鎖羽根が設けられている。したがって、プラスチック材で形成され、強度的に若干劣るアーム１３は、突起部１３ｅが仕切板と金属製のアーム１４とで挟まれることで強度が補われ、またアーム１４は金属製で強度が十分にあるので、駆動ピン９の揺動が確実に伝えられ、各羽根１２の平行性を乱すこともない。
【００１１】
図４に示すように、アーム１３の突起部１３ｅは、羽根１２がシャッタ開口１ａから退避した状態で駆動ピン９に接触しないようにその形状が作られているので、突起部１３ｅが羽根１２の開閉動作を邪魔することがない。このようにアーム１３はプラスチック材で形成されて軽量化されているが、仕切板とアーム１４とに挟まれて支えられていることで強度が補われ、プラスチックにしたことにより弾性変形を起こしやすい等の強度の低下によって問題が生じることはなく常に正常に羽根１２を開閉駆動することができる。
【００１２】
前記の例ではいずれも平行リンク式のフォーカルプレーンシャッタについて説明しているが、これに限られるものではなく、回転駆動式のフォーカルプレーンシャッタのように、複数のアームを有しその少なくとも１本のアームをプラスチック材で形成する構成であってもよい。
【００１３】
本実施の形態では、基板１、開放羽根２、開放羽根のアーム３〜５、仕切板、閉鎖羽根のアーム、閉鎖羽根、羽根受板の順で重なるように構成されたフォーカルプレーンシャッタでプラスチック材で形成されたアームが金属製アームと仕切板との間で挟まれる構成としていたが、これに限るものではなく、プラスチック材で形成されたアームは基板と金属製アームとの間に挟まれているか、又は仕切板と金属製アームとの間に挟まれているか、又は羽根受板と金属製アームとの間に挟まれていればよい。
【００１４】
【発明の効果】
このように本発明のフォーカルプレーンシャッタは、アームの少なくとも１つに、他のアームに平面的に重なる突起部を形成しているので、アームの弾性変形が防げ、光漏れを起こすことがない。アームの弾性変形を防いでいるので、アームをプラスチック等の軽量な材料で製造でき、シャッタ機構の軽量化を図ってシャッタスピードを高めることができる。
【図面の簡単な説明】
【図１】本発明の実施の一形態を示すもので、開放羽根群がシャッタ開口を覆っている状態の正面図である。
【図２】同、開放羽根群がシャッタ開口から退避した状態を示す正面図である。
【図３】本発明の実施の他の形態を示すもので、開放羽根群がシャッタ開口を覆っている状態の正面図である。
【図４】同、開放羽根群がシャッタ開口から退避した状態を示す正面図である。
【図５】従来の構成を示す正面図である。
【符号の説明】
１          シャッタ基板
１ａ        シャッタ開口
２，１２    羽根
３〜５      アーム
５ｅ，５ｆ  突起部
１３，１４  アーム
１３ｅ      突起部
【図１】
0004421784.tif 000002
【図２】
0004421784.tif 000003
【図３】
0004421784.tif 000004
【図４】
0004421784.tif 000005
【図５】
0004421784.tif 000006